(57)【要約】【課題】折り傘楔状切込溝安定機構の提供。【解決手段】一種の折り傘楔状切込溝体平衡安定機構に関わるもので、噛み合わせ式の楔状切込溝を折り傘の主軸外部に挿入し、主軸内部に固定管を設け、弾性体に結合する。弾性体は傘を開けるときに、外部に移動して、楔状切込溝で係止められ、傘を開いた状態に固定する。弾性体の下部は、楔状切込溝内面の下部に沿った円弧突起部を設け、傘の折り曲げ操作が便利である。【選択図】図１
0003122756.tif 000002
【実用新案登録請求の範囲】
【請求項１】
複数の軸より構成する主軸と噛み合わせ式楔状切込溝を包含し、噛み合わせ式楔状切込溝は結合部と台部より構成され、
その特徴として、固定管を最上部の軸に設け、固定管に中心溝を設けて、弾性体に結合し、弾性体上部の片側は小さい弾性体に接続し、その上部を他端に傾斜させ、弾性体の下部に円弧突起部を設け、楔状切込溝の結合部の片側に長溝を設け、傘を差すとき、弾性体上部によって係止められ、折り傘を安定状態に固定し、楔状切込溝台部の孔に凹み部を設け、弾性体下部の円弧突起部を凹み部に寄り掛かる一種の折り傘楔状切込溝安定機構。
【請求項２】
該折り傘は複数の軸より構成する傘枠組みを設け、楔状切込溝結合部の長溝場所の傘枠組み内部に延長された支持部を設け、傘を差して固定するとき、該支持部は主軸の側面に係止めることを特徴とする請求項１記載の折り傘楔状切込溝安定機構。
【請求項３】
固定管の中心溝内部に二組の交差した弾性体を設け、二つの結合部と上部軸の両側に対応する長溝を設けることを特徴とする請求項１記載の折り傘楔状切込溝安定機構。
【考案の詳細な説明】
【技術分野】
【０００１】
本考案は一種の傘楔状切込溝安定機構に関わるものである。
【背景技術】
【０００２】
折り傘の主な目的は、折り曲げた後にその体積を縮小し、携帯に便利する。このため、通常に複数の可動スライド管を挿入した主軸と多段式の骨組みにより、傘枠組み構造を構成する。そのうち、各スライド管の配置は、傘を差す状態により、上部が大きい下部が小さい主軸と上部が小さい下部が大きい主軸に分けられるが、後者の方がより小さい体積を実現できる。しかしながら、この種の上部が小さい下部が大きい折り傘の主軸において、その移動楔状切込溝機構の設置と操作が不安定であり、公知技術に理想な製品がなく、そのほとんどが実用の目的を満たすことができない。
【考案の開示】
【考案が解決しようとする課題】
【０００３】
本考案は上記実情に鑑みて、一種の傘楔状切込溝安定機構、特に一種の上部が小さい下部が大きい主軸構造の折り傘製品に使用するものに関わるもので、噛み合わせ式の楔状切込溝に固定管と弾性体との組み合わせにより、最適な予期効果が得られる。
【課題を解決するための手段】
【０００４】
請求項１の考案は、複数の軸より構成する主軸と噛み合わせ式楔状切込溝を包含し、噛み合わせ式楔状切込溝は結合部と台部より構成され、
その特徴として、固定管を最上部の軸に設け、固定管に中心溝を設けて、弾性体に結合し、弾性体上部の片側は小さい弾性体に接続し、その上部を他端に傾斜させ、弾性体の下部に円弧突起部を設け、楔状切込溝の結合部の片側に長溝を設け、傘を差すとき、弾性体上部によって係止められ、折り傘を安定状態に固定し、楔状切込溝台部の孔に凹み部を設け、弾性体下部の円弧突起部を凹み部に寄り掛かる一種の折り傘楔状切込溝安定機構としている。
請求項２の考案は、該折り傘は複数の軸より構成する傘枠組みを設け、楔状切込溝結合部の長溝場所の傘枠組み内部に延長された支持部を設け、傘を差して固定するとき、該支持部は主軸の側面に係止めることを特徴とする請求項１記載の折り傘楔状切込溝安定機構としている。
請求項３の考案は、固定管の中心溝内部に二組の交差した弾性体を設け、二つの結合部と上部軸の両側に対応する長溝を設けることを特徴とする請求項１記載の折り傘楔状切込溝安定機構としている。
【考案の効果】
【０００５】
本考案は折り傘楔状切込溝安定機構、本考案は構造の精巧性と実用性を有し、折り傘を差した状態の安定性と傘を折り曲げたときの便利性を実現する。
【考案を実施するための最良の形態】
【０００６】
図１から図３に示すとおり、本考案は一種の上部を小さく下部を大きく仕上げる主軸構造の折傘に対する改善である。本考案の折り傘は主に、複数の軸より構成する主軸１、噛み合わせ式楔状切込溝９と複数の副骨より結合された傘枠組み３より構成する。そのうち、主軸１は上から下へ第１可動スライド管１１、第２可動スライド管１２などがある。楔状切込溝２は主に、結合部２１と台部２２より構成し、台部２２より上方向に延ばした二つの弾性耳２３により結合部２１に備える側面溝２４を噛み合わせて、一体化にする。傘枠組み３の内面に上部楔状切込溝４と楔状切込溝２の切込部場所に回転軸接続する。本考案の主な特長は、第１可動スライド管１１内部に、固定管５に中心溝５１を形成し、ピン５２と弾性体５３を中心溝５１内部で結合する。弾性体５３上部側面に小さい弾性体５４を設け、その上部を他端に傾斜させる。弾性体５３下部の片側に円弧突起部５５を設ける。
【０００７】
傘を差したとき、図４に示すとおり、弾性体５３の上部が外側に傾斜し、第１可動スライド管１１の長溝１１１を通して、楔状切込溝２に備える結合部２１の長溝２５で係止められ、楔状切込溝２を傘を差した位置に固定し、安定した固定状態が得られる。このとき、弾性体５３下部の円弧突起部５５は楔状切込溝２台部２２孔の凹み部２６に寄り掛かる。よって、利用者は楔状切込溝２の台部２２を下方向に引っ張ると、弾性体５３の下部に圧迫することにより、その上部を内側に引き込まれる。図５に示すとおり、楔状切込溝２は係止め状態を解放し、順調に下部へ移動し、傘を折り曲げることができる。
【０００８】
前記のとおり、本考案は構造の精巧性と実用性を有し、折り傘を差した状態の安定性と傘を折り曲げたときの便利性を実現する。なお、本考案は一部の構造に変化を加えて、図６に示すとおり、結合部２１の長溝２５に当たる位置において、傘枠組み３に備える骨組み３１の内側に内面支持部３２を長く設けて、傘を差すときに、第１可動スライド管１１の側面に係止めて、中立位置を維持し、弾性体５３下部の円弧突起部５５をより安定させ、凹み部２６に寄り掛かって弛めない。利用者は傘を差したとき、安定に使用できる。傘を折り曲げるとき、台部２２を下部へ引っ張り、凹み部３８が円弧突起部５５を圧迫して、弾性体５３革に引き込み、楔状切込溝２を係止め状態から解放し、傘を順調に折り曲げることができる。さらに、本考案は図７に示すとおり、二組の交差した弾性体５３、５３'構造を設け、第１可動スライド管１１と結合部２１両側に向かい合わせて長溝を設けて、係止め固定により、本考案の効果を実現できる。
【図面の簡単な説明】
【０００９】
【図１】本考案の立体分解図である。
【図２】本考案の局部断面組立図である。
【図３】図２に示す縦向き断面図である。
【図４】本考案の傘を差したときの断面図である。
【図５】本考案の傘を折り曲げの動作図である。
【図６】本考案の変化部分の構造断面図である。
【図７】本考案もう一つの実施例における断面図である。
【符号の説明】
【００１０】
１  主軸
１１  第１可動スライド管
１２  第２可動スライド管
２  楔状切込溝
２１  結合部
２２  台部
２３  弾性耳
２４  側面溝
２５  長溝
２６  凹み部
３  傘枠組み
３１  骨組み
３２  内面支持部
３８  凹み部
４  上部楔状切込溝
５  固定管
５１  中心溝
５２  ピン
５３  弾性体
５３'  弾性体
５４  小さい弾性体
５５  円弧突起部
９  楔状切込溝
【図１】
0003122756.tif 000003
【図２】
0003122756.tif 000004
【図３】
0003122756.tif 000005
【図４】
0003122756.tif 000006
【図５】
0003122756.tif 000007
【図６】
0003122756.tif 000008
【図７】
0003122756.tif 000009